(57)【要約】      （修正有）【課題】カゴ置きに買物カゴを前傾状態及び後傾状態のいずれか一方で置くべきところを、買物客がそれに気付かずに反対に置こうとして戸惑ってしまうことがないようにするとともに、使い勝手を良くするショッピングカートを提供する。【解決手段】ショッピングカート１は、上段のカゴ置き３０と下段のカゴ置き４０とを備えている。上段及び下段の少なくとも一方のカゴ置きは、買物カゴ７，８を前傾状態及び後傾状態のいずれの状態でも支持可能に構成されている。両方のカゴ置きが、ともにいずれの状態でも支持可能に構成されていることが好ましい。【選択図】図４
0003212674.tif 000002
【実用新案登録請求の範囲】
【請求項１】
上段のカゴ置き（３０）と下段のカゴ置き（４０）とを備えたショッピングカートにおいて、
上段及び下段の少なくとも一方のカゴ置き（３０，４０）は、買物カゴ（７，８）を前下がりの前傾状態及び後下がりの後傾状態のいずれの状態でも支持可能に構成されたことを特徴とするショッピングカート。
【請求項２】
上段のカゴ置き（３０）に買物カゴ（７）を前傾状態で支持可能、かつ、下段のカゴ置き（４０）に別の買物カゴ（８）を後傾状態で支持可能に構成された請求項１記載のショッピングカート。
【請求項３】
上段及び下段のカゴ置き（３０，４０）を支持する左右２本の支柱（１０，１０）を備え、各支柱（１０，１０）は、下段のカゴ置き（４０）に支持された状態の買物カゴ（８）の上端開口部（８８）の真後及び真横並びに真後の真横のいずれにも延出しないように、上下方向中間部（１２，１２）が該上端開口部（８８）の前端よりも前方に突出する形で屈曲又は湾曲した請求項１又は２記載のショッピングカート。
【請求項４】
少なくとも上段のカゴ置き（３０）は、買物カゴ（７）を前記いずれの状態でも支持可能に構成された請求項１〜３のいずれか一項に記載のショッピングカート。
【請求項５】
上段のカゴ置き（３０）は、買物カゴ（７）を、水平方向に対して１０〜１５°の前傾角度と、水平方向に対して３〜８°の後傾角度とで支持可能に構成された請求項４記載のショッピングカート。
【請求項６】
上段及び下段のカゴ置き（３０，４０）を支持する左右２本の支柱（１０，１０）を備え、各支柱（１０，１０）は、前後方向に前傾で延びる支柱上部（１１，１１）を備え、
上段のカゴ置き（３０）は、左右の支柱上部（１１，１１）と、該支柱上部（１１，１１）の下方で左右方向に延びる上段下フレーム（３２ａ，３２ｂ）と、上段下フレーム（３２ａ，３２ｂ）の前方で左右方向に延びる上段前フレーム（３１）とを含み構成され、
買物カゴ（７）を前傾状態で支持するときには、上段下フレーム（３２ａ，３２ｂ）が買物カゴ（７）の底部（７２）に当接するとともに、上段前フレーム（３１）が前傾状態の買物カゴ（７）の前部（７１）に当接し、
買物カゴ（７）を後傾状態で支持するときには、上段前フレーム（３１）が買物カゴ（７）の底部（７２）に当接するとともに、前傾の左右の支柱上部（１１，１１）が後傾状態の買物カゴ（７）の左右の側部（７５，７５）に当接する請求項４又は５記載のショッピングカート。
【請求項７】
少なくとも下段のカゴ置き（４０）は、買物カゴ（８）を前記いずれの状態でも支持可能に構成された請求項１〜６のいずれか一項に記載のショッピングカート。
【請求項８】
下段のカゴ置き（４０）は、買物カゴ（８）を、水平方向に対して１．２〜６．２°の前傾角度と、水平方向に対して１２．５〜１７．８°の後傾角度とで支持可能に構成された請求項７記載のショッピングカート。
【請求項９】
上段及び下段のカゴ置き（３０，４０）を支持する左右２本の支柱（１０，１０）を備え、各支柱（１０，１０）は、前後方向に後傾で延びる支柱下部（１３，１３）を備え、
下段のカゴ置き（４０）は、左右の支柱下部（１３，１３）と、該支柱下部（１３，１３）の下方で左右方向に延びる下段下フレーム（４２）と、下段下フレーム（４２）の後方で左右方向に延びる下段後フレーム（４３）とを含み構成され、
買物カゴ（８）を後傾状態で支持するときには、下段下フレーム（４２）が買物カゴ（８）の底部（８２）に当接するとともに、下段後フレーム（４３）が後傾状態の買物カゴ（８）の後部（８３）に当接し、
買物カゴ（８）を前傾状態で支持するときには、下段後フレーム（４３）が買物カゴ（８）の底部（８２）に当接するとともに、後傾の左右の支柱下部（１３，１３）が前傾状態の買物カゴ（８）の左右の側部（８５，８５）に当接する請求項７又は８記載のショッピングカート。
【請求項１０】
上段及び下段の両方のカゴ置き（３０，４０）は、それぞれ買物カゴ（７，８）を前記いずれの状態でも支持可能に構成された請求項１〜９のいずれか一項に記載のショッピングカート。
【考案の詳細な説明】
【技術分野】
【０００１】
本考案は、スーパーマーケット等で買い物をする際に使用するショッピングカートに関する。
【背景技術】
【０００２】
ショッピングカートは、通常は、従来例１（特許文献１）のショッピングカートのように、買物カゴを若干の後傾状態で支持する上段のカゴ置きと、買物カゴを若干の前傾状態で支持する下段のカゴ置きとを備えている。
【０００３】
また、従来例２（特許文献２の図９，図１０に示す実施例２）のショッピングカートは、買物カゴを前傾状態で支持する上段のカゴ置きと、買物カゴを後傾状態で支持する下段のカゴ置きとを備えている。
【先行技術文献】
【特許文献】
【０００４】
【特許文献１】特開２０１１−１２６４３５号公報
【特許文献２】実用新案登録第３１４０８２１号公報
【考案の概要】
【考案が解決しようとする課題】
【０００５】
従来例１のショッピングカートでは、下段の買物カゴに品物を入れ難い。なぜなら、まず第一に、下段の買物カゴは前傾状態で支持されるため、その上端開口部は、ショッピングカートを後から押す買物客側とは反対側の前側を向くからである。また第二に、上段の買物カゴは後傾状態になるため、その後端部の下端部が低くなり、下段の買物カゴに品物を後方から入れる際に邪魔になることが多いからである。
【０００６】
その点、従来例２のショッピングカートでは、下段の買物カゴに品物を入れ難い。なぜなら、まず第一に、下段の買物カゴは後傾状態で支持されるため、その上端開口部は、ショッピングカートを後から押す買物客側である後側を向くからである。また第二に、上段の買物カゴは前傾状態になるため、その後端部の下端部が高くなり、下段の買物カゴに品物を後方から入れる際に邪魔になることが少ないからである。
【０００７】
しかしながら、従来例２のショッピングカートには、次に示す課題がある。すなわち、上段のカゴ置きについては、買物客は、買物カゴを後傾状態で置くことに慣れているため、前傾状態で置くことにすぐには気づかず、後傾状態で置こうとしてしまうことがある。また、下段のカゴ置きについても、買物客は、買物カゴを前傾状態で置くことに慣れているため、後傾状態で置くことにすぐには気づかず、前傾状態で置こうとしてしまうことがある。そして、それらの場合には、買物客は、カゴ置きに買物カゴをすんなりと支持できず、戸惑ってしまうおそれがある。
【０００８】
また、上段のカゴ置きについては、状況等によっては、買物カゴを前傾状態ではなく後傾状態で置いた方が使い勝手が良い場合がある。例えば、下段のカゴ置きには買物カゴを置かず、上段のカゴ置きのみに買物カゴを置く場合等である。また、下段のカゴ置きについても、状況等によっては、買物カゴを後傾状態ではなく前傾状態で置いた方が使い勝手が良い場合がある。例えば、一人がショッピングカートを押し、他の人が下段の買物カゴに前方から品物を入れる場合等である。
【０００９】
そこで、カゴ置きに買物カゴを前傾状態及び後傾状態のいずれか一方で置くべきところを、買物客がそれに気付かずに反対に置こうとして戸惑ってしまうことがないようにするとともに、ショッピングカートの使い勝手を良くすることを目的とする。
【課題を解決するための手段】
【００１０】
上記目的を達成するため、本考案のショッピングカートは、上段のカゴ置きと下段のカゴ置きとを備えたショッピングカートにおいて、上段及び下段の少なくとも一方のカゴ置きは、買物カゴを前下がりの前傾状態及び後下がりの後傾状態のいずれの状態でも支持可能に構成されたことを特徴とする。
【００１１】
ここで、上段及び下段のカゴ置きは、特に限定されないが、下段の買物カゴに品物を入れ易くできる点で、次のように構成されていることが好ましい。すなわち、上段のカゴ置きに買物カゴを前傾状態で支持可能、かつ、下段のカゴ置きに別の買物カゴを後傾状態で支持可能に構成されていることである。
【００１２】
また、上段及び下段のいずれのカゴ置きが、買物カゴを前記いずれの状態でも支持可能に構成されているかについては、特に限定されないが、次のア〜ウの態様を例示する。
［ア］少なくとも上段のカゴ置きは、買物カゴを前記いずれの状態でも支持可能に構成された態様。
［イ］少なくとも下段のカゴ置きは、買物カゴを前記いずれの状態でも支持可能に構成された態様。
［ウ］上段及び下段の両方のカゴ置きは、それぞれ買物カゴを前記いずれの状態でも支持可能に構成された態様。
【００１３】
また、上段及び下段のカゴ置きを支持する支柱は、特に限定されないが、下段のカゴ置きに品物を入れ易くなる点で、次のように構成されていることが好ましい。すなわち、ショッピングカートは、上段及び下段のカゴ置きを支持する左右２本の支柱を備え、各支柱は、下段のカゴ置きに支持された状態の買物カゴの上端開口部の真後及び真横並びに真後の真横のいずれにも延出しないように、上下方向中間部が該上端開口部の前端よりも前方に突出する形で屈曲又は湾曲していることである。
【００１４】
［上段のカゴ置き］
上段のカゴ置きによる買物カゴの支持角度は、特に限定されないが、上段のカゴ置きは、買物カゴを、水平方向に対して１０〜１５°の前傾角度で支持可能に構成されていることが好ましい。この角度範囲なのは、１０°に満たないと、該上段の買物カゴの後端部の下端部が十分に高くならないことで、下段の買物カゴに後方から品物を入れる際に邪魔になるおそれがある一方、１５°を越えると、該上段の買物カゴの上端開口部が前方に傾き過ぎることで、該買物カゴに後方から商品を入れ難くなるおそれがあるからである。
【００１５】
そして、更に、該上段のカゴ置きは、買物カゴを、水平方向に対して３〜８°の後傾角度でも支持可能に構成されていることが好ましい。この角度範囲なのは、３°に満たないと、前傾状態との差があまりでないことで十分に使い勝手がよくならないおそれがある一方、８°を越えると、該上段の買物カゴが後方に傾き過ぎることで、反って使い勝手が悪くなるおそれがあるからである。
【００１６】
上段のカゴ置きの具体的な態様は、特に限定されないが、上段のカゴ置きに買物カゴを前記いずれの状態でも支持可能になる点、上段のカゴ置きの部品点数が少なくなる点及びショッピングカートの左右方向の幅が小さくなる点で、次のように構成されていることが好ましい。すなわち、ショッピングカートは、上段及び下段のカゴ置きを支持する左右２本の支柱を備え、各支柱は、前後方向に前傾で延びる支柱上部を備え、上段のカゴ置きは、左右の支柱上部と、該支柱上部の下方で左右方向に延びる上段下フレームと、上段下フレームの前方で左右方向に延びる上段前フレームとを含み構成され、買物カゴを前傾状態で支持するときには、上段下フレームが買物カゴの底部に当接するとともに、上段前フレームが前傾状態の買物カゴの前部に当接し、買物カゴを後傾状態で支持するときには、上段前フレームが買物カゴの底部に当接するとともに、前傾の左右の支柱上部が後傾状態の買物カゴの左右の側部に当接することである。
【００１７】
なお、上段のカゴ置きの部品点数が少なくなるのは、支柱上部が、上段のカゴ置きの一部を兼ねるからである。また、ショッピングカートの左右方向の幅が小さくなるのは、前傾の左右の支柱上部が後傾状態の買物カゴの左右の側部に当接するように構成することで、必然的に、左右の支柱上部の間隔が、買物カゴの左右方向の幅よりも小さくなるからである。
【００１８】
［下段のカゴ置き］
下段のカゴ置きによる買物カゴの支持角度は、特に限定されないが、下段のカゴ置きは、買物カゴを、水平方向に対して１２．５〜１７．８°の後傾角度で支持可能に構成されていることが好ましい。この角度範囲なのは、１２．５°に満たないと、該下段の買物カゴの上端開口部が十分に後方の買物客側を向かないことで、該買物カゴに品物を十分に入れ易くならないおそれがある一方、１７．８°を越えると、該下段の買物カゴが後方に傾き過ぎることで、反って使い勝手が悪くなるおそれがあるからである。
【００１９】
そして、更に、該下段のカゴ置きは、買物カゴを、水平方向に対して１．２〜６．２°の前傾角度でも支持可能に構成されていることが好ましい。この角度範囲なのは、１．２°に満たないと、後傾状態との差があまりでないことで十分に使い勝手が良くならないおそれがある一方、６．２°を越えると、該下段の買物カゴが前方に傾き過ぎることで、反って使い勝手が悪くなるおそれがあるからである。
【００２０】
下段のカゴ置きの具体的な態様は、特に限定されないが、下段のカゴ置きに買物カゴを前記いずれの状態でも支持可能になる点、下段のカゴ置きの部品点数が少なくなる点及びショッピングカートの左右方向の幅が小さくなる点で、次のように構成されていることが好ましい。すなわち、ショッピングカートは、上段及び下段のカゴ置きを支持する左右２本の支柱を備え、各支柱は、前後方向に後傾で延びる支柱下部を備え、下段のカゴ置きは、左右の支柱下部と、該支柱下部の下方で左右方向に延びる下段下フレームと、下段下フレームの後方で左右方向に延びる下段後フレームとを含み構成され、買物カゴを後傾状態で支持するときには、下段下フレームが買物カゴの底部に当接するとともに、下段後フレームが後傾状態の買物カゴの後部に当接し、買物カゴを前傾状態で支持するときには、下段後フレームが買物カゴの底部に当接するとともに、後傾の左右の支柱下部が前傾状態の買物カゴの左右の側部に当接することである。
【００２１】
なお、下段のカゴ置きの部品点数が少なくなるのは、支柱下部が、下段のカゴ置きの一部を兼ねるからである。また、ショッピングカートの左右方向の幅が小さくなるのは、後傾の左右の支柱下部が前傾状態の買物カゴの左右の側部に当接するように構成することで、必然的に、左右の支柱下部の間隔が、買物カゴの左右方向の幅よりも小さくなるからである。
【考案の効果】
【００２２】
本考案によれば、上段及び下段の少なくとも一方のカゴ置きは、買物カゴを前傾状態及び後傾状態のいずれの状態でも支持可能に構成されているため、該カゴ置きに買物カゴを前傾状態及び後傾状態のいずれか一方で置くべきところを、買物客がそれに気付かずに反対に置こうとして戸惑ってしまうといった心配がない。また、状況等に応じて、該カゴ置きに買物カゴを前傾状態で置くことも後傾状態で置くこともできるため、ショッピングカートの使い勝手が良い。
【図面の簡単な説明】
【００２３】
【図１】実施例のショッピングカートを斜め前からみた斜視図である。
【図２】実施例のショッピングカートを斜め後からみた斜視図である。
【図３】実施例のショッピングカート及び買物カゴを左右中央で切って右側からみた側面断面図である。
【図４】実施例のショッピングカートの上段及び下段の両方に買物カゴを置く場合において、ａは上段には前傾状態で置き下段には後傾状態で置いたときを示す側面断面図、ｂは上段には後傾状態で置き下段にも後傾状態で置いたときを示す側面断面図、ｃは上段には前傾状態で置き下段にも前傾状態で置いたときを示す側面断面図、ｄは上段には後傾状態で置き下段には前傾状態で置いたときを示す側面断面図である。
【図５】変更例１のショッピングカート及び買物カゴを左右中央で切って右側からみた側面断面図である。
【考案を実施するための形態】
【００２４】
図１〜図４に示す本考案のショッピングカート１は、上段のカゴ置き３０と、下段のカゴ置き４０と、上段及び下段のカゴ置き３０，４０を支持する左右２本の支柱１０，１０とを備えている。
【００２５】
そして、上段のカゴ置き３０は、買物カゴ７を基本的には前下がりの前傾状態で支持するように構成されているが、後下がりの後傾状態でも支持可能に構成されている。また、下段のカゴ置き４０は、買物カゴ８を基本的には後傾状態で支持するように構成されているが、前傾状態でも支持可能に構成されている。よって、上段及び下段の両方のカゴ置き３０，４０は、それぞれ買物カゴ７，８を前傾状態及び後傾状態のいずれの状態でも支持可能に構成されている。
【００２６】
そして、左右の各支柱１０，１０は、下段のカゴ置き４０に支持された状態の買物カゴ８の上端開口部８８の真後及び真横並びに真後の真横のいずれにも延出しないように、上下方向中間部にある支柱前部１２，１２が該上端開口部８８の前端よりも前方に突出する形で屈曲している。
【実施例】
【００２７】
図１〜図４に示す本実施例のショッピングカート１は、次に示す、左右２本の支柱１０，１０と、上段のカゴ置き３０と、下段のカゴ置き４０とを含み構成されている。
【００２８】
［支柱１０，１０］
左右２本の支柱１０，１０は、左右方向に買物カゴ７，８の左右方向の幅未満の間隔をおいて並設されている。詳しくは、各支柱１０は、その上端から前方に前傾で延びる支柱上部１１と、その前端から下方に延びる支柱前部１２と、その下端から後方に後傾で延びる支柱下部１３と、その後端から下方に延びる支柱最下部１４とを含み構成されている。
【００２９】
そして、左右の支柱上部１１，１１の後端部どうしを繋ぐ形でハンドル２１が設けられている。また、左右の支柱最下部１４，１４からそれぞれ前方に延びてから左右内方に延びて繋がる形（Ｕ字形）で基台フレーム２４が設けられている。その基台フレーム２４の前端部には、バンパー２５が取り付けられている。そのバンパー２５の後方に位置する基台フレーム２４の前部には、左右２つのフロントキャスタ２６，２６が、水平面内で回動可能に取り付けられている。また、左右の支柱最下部１４，１４の下端部には、左右２つのリアキャスタ２７，２７が、水平面内で回動可能に取り付けられている。
【００３０】
そして、各部の寸法は、概ね次のとおりである。すなわち、左の支柱１０の左端から右の支柱１０の右端までの長さ（ショッピングカートのキャスタを除く部分の左右方向の幅）は、３４０〜３４５ｍｍ程度である。また、リアキャスタ２７の下端から支柱１０の上端までの長さ（ショッピングカートの高さ）は、８１６〜８２０ｍｍ程度である。また、支柱上部１１の後端から支柱前部１２の前端までの長さ（ショッピングカート１の前後方向の長さ）は、４５８〜４６２ｍｍ程度である。
【００３１】
［上段のカゴ置き３０］
上段のカゴ置き３０は、前傾の左右の支柱上部１１，１１と、該支柱上部１１，１１の下方で左右方向に延びる上段下フレーム３２ａ，３２ｂと、上段下フレーム３２ａ，３２ｂの前方で左右方向に延びる上段前フレーム３１とを含み構成されている。
【００３２】
詳しくは、上段前フレーム３１は、支柱上部１１，１１の前部及び支柱下部１３，１３の前部に跨って取り付けられた上下方向及び左右方向に延びる四角形環状の前フレーム２３の上辺部により構成されている。また、上段下フレーム３２ａ，３２ｂは、前側の上段下フレーム３２ａと後側の上段下フレーム３２ｂとを含み構成されている。その前側の上段下フレーム３２ａは、前フレーム２３の左辺部及び右辺部の上部からそれぞれ後方に延びてから左右内方に延びて繋がる形（Ｕ字形）で形成されている。また、後側の上段下フレーム３２ｂは、上面視で左右方向に延びる長方形環状のフレームであって、前面視では左右の支柱上部１１，１１からそれぞれ下方に延びてから左右内方に延びて繋がる形（Ｕ字形）をしている。その後側の上段下フレーム３２ｂからは、買物カゴ７を前傾状態で支持した際の加速時等に、買物カゴ７の後部に当接して該買物カゴ７が後方に移動するのを防止するための上段後フレーム３３が延びている。その上段後フレーム３３は、後側の上段下フレーム３２ｂの左部及び右部からそれぞれ後方に延びて更に上方に屈曲して延びてから左右内方に延びて繋がる形（Ｕ字形）をしている。
【００３３】
そして、買物カゴ７を前傾状態で支持するときには、図３に実線で示す上段の買物カゴ７の場合のように、上段下フレーム３２ａ，３２ｂが買物カゴ７の底部７２に当接するとともに、上段前フレーム３１が前傾状態の買物カゴ７の前部７１に当接する。そして、このときの買物カゴ７の前傾角度は、水平方向に対して１３°程度である。
【００３４】
また、買物カゴ７を後傾状態で支持するときには、図３に２点鎖線で示す上段の買物カゴ７の場合のように、上段前フレーム３１及び前側の上段下フレーム３２ａが買物カゴ７の底部７２に当接するとともに、前傾の左右の支柱上部１１，１１が後傾状態の買物カゴ７の左右の側部７５，７５に当接する。そして、このときの買物カゴ７の後傾角度は、水平方向に対して６°程度である。但し、前側の上段下フレーム３２ａについては、このとき、買物カゴ７の底部７２に当接しないように構成されていてもよい。
【００３５】
［下段のカゴ置き４０］
下段のカゴ置き４０は、左右の後傾の支柱下部１３，１３と、該支柱下部１３，１３の下方で左右方向に延びる下段下フレーム４２と、下段下フレーム４２の後方で左右方向に延びる下段後フレーム４３とを含み構成されている。
【００３６】
詳しくは、下段後フレーム４３は、左右の支柱最下部１４，１４どうしを繋ぐ形で設けられている。その下段後フレーム４３の左右両端部からそれぞれ前方に前傾で延びてから左右内方に延びて繋がる形（Ｕ字形）で底面フレーム４８が設けられている。その底面フレーム４８の左辺部及び右辺部の長さ方向中間部どうしを跨ぐ形で下段下フレーム４２が設けられている。また、底面フレーム４８の前端部には、該底面フレーム４８の上にダンボール箱等の荷物を置いた際に、該荷物の前部に当接して該荷物が前方に滑り落ちるのを防止するための前ストッパ４９が設けられている。その前ストッパ４９は、底面フレーム４８の前辺部の左部及び右部からそれぞれ上方に延びてから左右内方に延びて繋がる形（Ｕ字形）で形成されている。また、前フレーム２３の左辺部及び右辺部は、後傾状態の買物カゴ８の前部に当接する下段前フレーム４１，４１を構成している。
【００３７】
そして、買物カゴ８を後傾状態で支持するときには、図３に実線で示す下段の買物カゴ８の場合のように、下段下フレーム４２が買物カゴ８の底部８２に当接するとともに、下段後フレーム４３が後傾状態の買物カゴ８の後部８３に当接する。そして、このときの買物カゴ８の後傾角度は、水平方向に対して１５°程度である。
【００３８】
また、買物カゴ８を前傾状態で支持するときには、図３に２点鎖線で示す下段の買物カゴ８の場合のように、下段後フレーム４３が買物カゴ８の底部８２に当接するとともに、後傾の支柱下部１３，１３が前傾状態の買物カゴ８の左右の側部８５，８５に当接する。そして、このときの買物カゴ８の前傾角度は、水平方向に対して４°程度である。
【００３９】
本実施例によれば、次のＡ〜Ｇの効果を得ることができる。
［Ａ］上段のカゴ置き３０は、買物カゴ７を基本的には前傾状態で支持するように構成されているが、後傾状態でも支持可能に構成されているため、該上段のカゴ置き３０に買物カゴ７を前傾状態で置くべきところを、買物客がそれに気付かずに後傾状態で置こうとして戸惑ってしまうといった心配がない。また、下段のカゴ置き４０は、買物カゴ８を基本的には後傾状態で支持するように構成されているが、前傾状態でも支持可能に構成されているため、該下段のカゴ置き４０に買物カゴ８を後傾状態で置くべきところを、買物客がそれに気付かずに前傾状態で置こうとして戸惑ってしまうといった心配がない。
【００４０】
［Ｂ］上段及び下段の両方のカゴ置き３０，４０には、それぞれ買物カゴ７，８を前傾状態及び後傾状態のいずれの状態でも置くことができるため、状況等に応じて様々な置き方をすることができる。詳しくは、上段及び下段の両方に買物カゴを置く場合には、図４ａに示すように上段には前傾状態で置き下段には後傾状態で置く第１の置き方と、図４ｂに示すように上段には後傾状態で置き下段にも後傾状態で置く第２の置き方と、図４ｃに示すように上段には前傾状態で置き下段にも前傾状態で置く第３の置き方と、図４ｄに示すように上段には後傾状態で置き下段には前傾状態で置く第４の置き方との４通りの置き方ができる。また、上段及び下段のいずれか一方にのみ買物カゴを置く場合には、上段にのみ前傾状態で置く第１の置き方と、上段にのみ後傾状態でおく第２の置き方と、下端にのみ後傾でおく第３の置き方と、下段にのみ前傾でおく第４の置き方とができる。よって、計８通りもの置き方ができる。そのため、これら８通りの置き方を状況に応じて使い分けることができ、ショッピングカート１の使い勝手が良い。
【００４１】
［Ｃ］支柱１０，１０は、下段のカゴ置き４０に支持された状態の買物カゴ８の上端開口部８８の真後及び真横並びに真後の真横のいずれにも延出しないように屈曲しているので、下段の買物カゴ８に品物を入れる際に邪魔にならない。よって、下段の買物カゴ８の使い勝手が良い。
【００４２】
［Ｄ］支柱上部１１，１１は、上段のカゴ置き３０の一部を兼ね、支柱下部１３，１３は、下段のカゴ置き４０の一部を兼ねているため、部品点数が少なくなり、ショッピングカート１がシンプルになる。
【００４３】
［Ｅ］支柱上部１１，１１は、後傾状態の上段の買物カゴ７の左右の側部７５，７５に当接するように構成され、支柱下部１３，１３は、前傾状態の下段の買物カゴ８の左右の側部８５，８５に当接するように構成されているため、左右２本の支柱１０，１０の間隔は、必然的に買物カゴ７，８の左右方向の幅よりも小さくなる。そのため、ショッピングカート１が左右方向にコンパクトにまとまる。
【００４４】
［Ｆ］上段及び下段のいずれのカゴ置き３０，４０も、買物カゴ７，８を前傾状態又は後傾状態で支持するため、水平状態で支持する場合に比べて、ショッピングカート１を前後方向にコンパクトにすることができる。
【００４５】
［Ｇ］上記のＥ，Ｆに示したとおり、ショッピングカート１は左右方向にも前後方向にもコンパクトにすることができるので、該ショッピングカート１は、店舗内のスペースが狭くなりがちな都心部等の店舗での使用に適している。
【００４６】
なお、本考案は前記実施例の構成に限定されるものではなく、考案の趣旨から逸脱しない範囲で、例えば次の変更例１，２のように、適宜変更して具体化することもできる。
【００４７】
［変更例１］図５に示すショッピングカート１’のように、上段のカゴ置き３０のみが、買物カゴ７を前傾状態及び後傾状態のいずれの状態でも支持可能に構成され、下段のカゴ置き４０は、買物カゴ８を水平状態等の一の状態でのみ支持可能に構成されていてもよい。
【００４８】
［変更例２］上段のカゴ置き３０は、買物カゴ７を水平状態等の一の状態でのみ支持可能に構成され、下段のカゴ置き４０のみが、買物カゴ８を前傾状態及び後傾状態のいずれの状態でも支持可能に構成されていてもよい。
【符号の説明】
【００４９】
１    ショッピングカート（実施例）
１’  ショッピングカート（変更例１）
７    買物カゴ（上段）
８    買物カゴ（下段）
１０    支柱
１１    支柱上部
１２    支柱前部（支柱の上下方向中間部）
１３    支柱下部
３０    上段のカゴ置き
３１    上段前フレーム
３２ａ  上段下フレーム（前側）
３２ｂ  上段下フレーム（後側）
４０    下段のカゴ置き
４２    下段下フレーム
４３    下段後フレーム
【図１】
0003212674.tif 000003
【図２】
0003212674.tif 000004
【図３】
0003212674.tif 000005
【図４】
0003212674.tif 000006
【図５】
0003212674.tif 000007
【手続補正書】
【提出日】平成29年7月28日(2017.7.28)
【手続補正１】
【補正対象書類名】実用新案登録請求の範囲
【補正対象項目名】全文
【補正方法】変更
【補正の内容】
【実用新案登録請求の範囲】
【請求項１】
上段のカゴ置き（３０）と下段のカゴ置き（４０）とを備えたショッピングカートにおいて、
上段及び下段の少なくとも一方のカゴ置き（３０，４０）は、買物カゴ（７，８）を前下がりの前傾状態及び後下がりの後傾状態のいずれの状態でも支持可能に、前傾状態の買物カゴ（７，８）の底部に当接する部材と該買物カゴ（７，８）の前部又は左右の側部に当接する部材とを含むとともに、後傾状態の買物カゴ（７，８）の底部に当接する部材と該買物カゴ（７，８）の左右の側部又は後部に当接する部材とを含み構成されたことを特徴とするショッピングカート。
【請求項２】
上段のカゴ置き（３０）に買物カゴ（７）を前傾状態で支持可能、かつ、下段のカゴ置き（４０）に別の買物カゴ（８）を後傾状態で支持可能に構成された請求項１記載のショッピングカート。
【請求項３】
上段及び下段のカゴ置き（３０，４０）を支持する左右２本の支柱（１０，１０）を備え、各支柱（１０，１０）は、下段のカゴ置き（４０）に支持された状態の買物カゴ（８）の上端開口部（８８）の真後及び真横並びに真後の真横のいずれにも延出しないように、上下方向中間部（１２，１２）が該上端開口部（８８）の前端よりも前方に突出する形で屈曲又は湾曲した請求項１又は２記載のショッピングカート。
【請求項４】
少なくとも上段のカゴ置き（３０）は、買物カゴ（７）を前記いずれの状態でも支持可能に構成された請求項１〜３のいずれか一項に記載のショッピングカート。
【請求項５】
上段のカゴ置き（３０）は、買物カゴ（７）を、水平方向に対して１０〜１５°の前傾角度と、水平方向に対して３〜８°の後傾角度とで支持可能に構成された請求項４記載のショッピングカート。
【請求項６】
上段及び下段のカゴ置き（３０，４０）を支持する左右２本の支柱（１０，１０）を備え、各支柱（１０，１０）は、前後方向に前傾で延びる支柱上部（１１，１１）を備え、
上段のカゴ置き（３０）は、左右の支柱上部（１１，１１）と、該支柱上部（１１，１１）の下方で左右方向に延びる上段下フレーム（３２ａ，３２ｂ）と、上段下フレーム（３２ａ，３２ｂ）の前方で左右方向に延びる上段前フレーム（３１）とを含み構成され、
買物カゴ（７）を前傾状態で支持するときには、上段下フレーム（３２ａ，３２ｂ）が買物カゴ（７）の底部（７２）に当接するとともに、上段前フレーム（３１）が前傾状態の買物カゴ（７）の前部（７１）に当接し、
買物カゴ（７）を後傾状態で支持するときには、上段前フレーム（３１）が買物カゴ（７）の底部（７２）に当接するとともに、前傾の左右の支柱上部（１１，１１）が後傾状態の買物カゴ（７）の左右の側部（７５，７５）に当接する請求項４又は５記載のショッピングカート。
【請求項７】
少なくとも下段のカゴ置き（４０）は、買物カゴ（８）を前記いずれの状態でも支持可能に構成された請求項１〜６のいずれか一項に記載のショッピングカート。
【請求項８】
下段のカゴ置き（４０）は、買物カゴ（８）を、水平方向に対して１．２〜６．２°の前傾角度と、水平方向に対して１２．５〜１７．８°の後傾角度とで支持可能に構成された請求項７記載のショッピングカート。
【請求項９】
上段及び下段のカゴ置き（３０，４０）を支持する左右２本の支柱（１０，１０）を備え、各支柱（１０，１０）は、前後方向に後傾で延びる支柱下部（１３，１３）を備え、
下段のカゴ置き（４０）は、左右の支柱下部（１３，１３）と、該支柱下部（１３，１３）の下方で左右方向に延びる下段下フレーム（４２）と、下段下フレーム（４２）の後方で左右方向に延びる下段後フレーム（４３）とを含み構成され、
買物カゴ（８）を後傾状態で支持するときには、下段下フレーム（４２）が買物カゴ（８）の底部（８２）に当接するとともに、下段後フレーム（４３）が後傾状態の買物カゴ（８）の後部（８３）に当接し、
買物カゴ（８）を前傾状態で支持するときには、下段後フレーム（４３）が買物カゴ（８）の底部（８２）に当接するとともに、後傾の左右の支柱下部（１３，１３）が前傾状態の買物カゴ（８）の左右の側部（８５，８５）に当接する請求項７又は８記載のショッピングカート。
【請求項１０】
上段及び下段の両方のカゴ置き（３０，４０）は、それぞれ買物カゴ（７，８）を前記いずれの状態でも支持可能に構成された請求項１〜９のいずれか一項に記載のショッピングカート。
【手続補正２】
【補正対象書類名】明細書
【補正対象項目名】００１０
【補正方法】変更
【補正の内容】
【００１０】
上記目的を達成するため、本考案のショッピングカートは、上段のカゴ置きと下段のカゴ置きとを備えたショッピングカートにおいて、上段及び下段の少なくとも一方のカゴ置きは、買物カゴを前下がりの前傾状態及び後下がりの後傾状態のいずれの状態でも支持可能に、前傾状態の買物カゴの底部に当接する部材と該買物カゴの前部又は左右の側部に当接する部材とを含むとともに、後傾状態の買物カゴの底部に当接する部材と該買物カゴの左右の側部又は後部に当接する部材とを含み構成されたことを特徴とする。